(57)【要約】  電気かみそり（１１）は、把持部（１２）と把持部（１２）の上端部に設けられたヘッド（１３）とを備える。ヘッド（１３）の上端には体毛を導入可能な五つの外刃（２０）がヘッド（１３）の前後方向（Ｘ）に沿って並設されている。各外刃（２０）の内側にはそれぞれヘッド（１３）の幅方向（Ｙ）に沿って往復動可能で外刃（２０）内に導入された体毛を外刃（２０）との間に挟んで切除するための内刃（３０）が設けられている。外刃（２０）は、該外刃（２０）の前後方向（Ｘ）の中央に配置されるスリット刃（２１）と、該スリット刃（２１）を中心としてヘッド（１３）の前後方向Ｘに２つずつ配置されたネット刃（２２〜２５）とを含む。ネット刃（２２〜２５）は、スリット刃（２１）を中心としてヘッド（１３）の前後方向（Ｘ）に対称に配置されている。
2011037126.tif 000002
【特許請求の範囲】
【請求項１】
使用者が把持可能な把持部と、
該把持部の上端部に設けられたヘッドと、
前記ヘッドの上端において自身の短手方向であって前記ヘッドの前後方向に沿って並設され、体毛を導入可能な複数の外刃と、
前記各外刃の内側にそれぞれ設けられるとともに、前記外刃の長手方向であって前記ヘッドの幅方向に沿って往復動可能であり、かつ前記外刃内に導入された体毛を外刃との間に挟んで切除するための複数の内刃とを備える電気かみそりであって、
前記複数の外刃は、前記ヘッドの前後方向に沿って並設された五つ以上の外刃を含み、
前記複数の外刃は、
前記外刃の前後方向の中央に配置されるとともに、前記外刃の短手方向に沿った複数のスリットを有するスリット刃と、
該スリット刃を中心として前記ヘッドの前後方向に複数ずつ配設される前網目状の複数のネット刃とを含み、
前記複数のネット刃が、前記スリット刃を中心として前記ヘッドの前後方向に沿って対称に配置されていることを特徴とする電気かみそり。
【請求項２】
請求項１に記載の電気かみそりにおいて、
前記複数のネット刃の頂部は、前記スリット刃を中心としてヘッドの前後方向に沿って対称に設定されていることを特徴とする電気かみそり。
【請求項３】
請求項２に記載の電気かみそりにおいて、
前記ヘッドの前後方向の両端に配置された一対の前記ネット刃の頂部が他の前記ネット刃の頂部よりも低くなるように設定されていることを特徴とする電気かみそり。
【請求項４】
請求項２に記載の電気かみそりにおいて、
前記ヘッドの前後方向の両端に配置された一対の前記ネット刃の頂部が他の前記ネット刃の頂部よりも高くなるように設定されていることを特徴とする電気かみそり。
【請求項５】
請求項１乃至４のいずれか１項に記載の電気かみそりにおいて、
前記ヘッドの上端部の少なくとも一部を覆うべく該ヘッドに着脱可能なキャップを有し、
前記キャップは、前記ヘッドの前後方向における前方側の前記ネット刃、及び後方側の前記ネット刃のいずれか一方のみを外部に露出する開口部を有し、前記キャップは、該開口部が前記前方側のネット刃及び前記後方側のネット刃の何れにも対応して配置されるように着脱可能に形成されていることを特徴とする電気かみそり。
【請求項６】
請求項１に記載の電気かみそりにおいて、
前記ヘッドの前後方向の一端に配置されたネット刃の頂部が他の前記ネット刃よりも低くなるように設定されていることを特徴とする電気かみそり。
【発明の詳細な説明】
【技術分野】
【０００１】
本発明は、髭等の体毛を剃るための電気かみそりに関するものである。
【背景技術】
【０００２】
ヘッドの上端に設けられた複数の外刃と、同外刃の内側にそれぞれ設けられた複数の内刃とを備える電気かみそりが知られている。体毛を導入可能な外刃が自身の短手方向であってヘッドの前後方向に沿って並設されている。各内刃は、外刃の長手方向であってヘッドの幅方向に沿って往復動可能であり、隣接する外刃内に導入された体毛を該外刃との間に挟んで切除する。また、外刃として、２つのスリット刃と２つのネット刃とを備える電気かみそりが知られている（例えば、特許文献１参照）。各スリット刃は、長毛を剃りやすいように該スリット刃の短手方向に沿って延びる複数のスリットを有する。各ネット刃は、短毛を剃りやすいように網目状に形成されている。【０００３】
このような電気かみそりでは、使用者が、電気かみそりを、例えば、対象となる肌上をヘッドの前後方向に沿って移動、即ち摺動させたときに、４つの外刃（スリット刃及びネット刃）と内刃によって順に髭が剃られる。これにより、効率良く、少ない往復動作で、そり残しの少ない良好な仕上がりを得ることができる。
【先行技術文献】
【特許文献】
【０００４】
【特許文献１】特開２００５−４０３５８号公報
【発明の概要】
【発明が解決しようとする課題】
【０００５】
ところで、上記のような電気かみそりにおいては、更に効率良く良好な仕上がりを得ようとするために、五つ以上の外刃をヘッドの前後方向に沿って並設することが考えられる。そこで、このような電気かみそりにおいては、どの外刃（スリット刃及びネット刃）をどのように配置すれば最適かという点において改善の余地がある。又、電気かみそりの使い勝手も改善の余地がある。【０００６】
本発明の目的は、効率良く良好な仕上がりを得ることができるとともに、使い勝手の良い電気かみそりを提供することにある。
【課題を解決するための手段】
【０００７】
本発明の一態様は、電気かみそりを提供する。電気かみそりは、使用者が把持可能な把持部と、該把持部の上端部に設けられたヘッドと、前記ヘッドの上端において自身の短手方向であって前記ヘッドの前後方向に沿って並設され、体毛を導入可能な複数の外刃と、前記各外刃の内側にそれぞれ設けられるとともに、前記外刃の長手方向であって前記ヘッドの幅方向に沿って往復動可能であり、かつ前記外刃内に導入された体毛を外刃との間に挟んで切除するための複数の内刃とを備える電気かみそりであって、前記複数の外刃は、前記ヘッドの前後方向に沿って並設された五つ以上の外刃を含み、前記複数の外刃は、前記外刃の前後方向の中央に配置されるとともに、前記外刃の短手方向に沿った複数のスリットを有するスリット刃と、該スリット刃を中心として前記ヘッドの前後方向に複数ずつ配設される前網目状の複数のネット刃とを含み、前記複数のネット刃が、前記スリット刃を中心として前記ヘッドの前後方向に沿って対称に配置されている。【０００８】
前記複数のネット刃の頂部は、前記スリット刃を中心として前後ヘッドの方向に沿って対称に設定されていることが好ましい。
前記ヘッドの前後方向の両端に配置された一対の前記ネット刃の頂部が他の前記ネット刃の頂部よりも低くなるように設定されていることが好ましい。【０００９】
前記ヘッドの前後方向の両端に配置された一対の前記ネット刃の頂部が他の前記ネット刃の頂部よりも高くなるように設定されていることが好ましい。
前記ヘッドの上端部の少なくとも一部を覆うべく該ヘッドに着脱可能なキャップを有し、前記キャップは、前記ヘッドの前後方向における前方側の前記ネット刃、及び後方側の前記ネット刃のいずれか一方のみを外部に露出する開口部を有し、前記キャップは、該開口部が前記前方側のネット刃及び前記後方側のネット刃の何れにも対応して配置されるように着脱可能に形成されていることが好ましい。【００１０】
前記ヘッドの前後方向の一端に配置されたネット刃の頂部が他の前記ネット刃よりも低くなるように設定されていることが好ましい。
【図面の簡単な説明】
【００１１】
【図１】本発明の一実施形態に係る電気かみそりを模式的に示す斜視図。
【図２】図１の電気かみそりにおけるヘッドを模式的に示す側面図。
【図３】別例におけるヘッドを模式的に示す側面図。
【図４】別例におけるヘッドを模式的に示す側面図。
【図５】別例におけるヘッドを模式的に示す側面図。
【図６】別例におけるキャップを有するヘッドを模式的に示す側面図。
【発明を実施するための形態】
【００１２】
以下、本発明の一実施の形態に係る電気かみそりを図１及び図２に従って説明する。
図１に示すように、髭用の電気かみそり１１は、使用者が把持可能な把持部１２と、該把持部１２の上端部に設けられたヘッド１３とを備える。ヘッド１３は、把持部１２に対して、例えば、三種類の動作をすることができるように設けられている。第１の動作は、ヘッド１３の前後方向Ｘ（剃り方向）に沿って延びる軸（Ｘ軸）を中心とする傾動動作である。第２の動作は、ヘッド１３の幅方向Ｙ（剃り方向の直交方向）に沿って延びる軸（Ｙ軸）を中心とする傾動動作である。第３の動作は、上下方向、即ち垂直方向Ｚに沿った往復動作（振動）である。尚、電気かみそり１１の前後方向Ｘ、幅方向Ｙ、及び上下方向、即ち垂直方向Ｚは、それぞれ互いに直交する方向である。
【００１３】
ヘッド１３の上端、詳しくはヘッドケース１３ａの上端開口部には、体毛を導入可能な複数の外刃２０が設けられている。複数の外刃２０は、自身の短手方向であってヘッド１３の前後方向Ｘに沿って並設されている。又、ヘッド１３において、各外刃２０の内側にはそれぞれ内刃３０が設けられている。各内刃３０は、外刃２０の長手方向であって前記ヘッド１３の幅方向Ｙに沿って往復動可能であり、隣接する外刃２０内に導入された体毛を該外刃２０との間に挟んで切除する。尚、各外刃２０は、図示しない樹脂支持枠に固定されて該樹脂支持枠と共に外刃ブロックを構成する。各樹脂支持枠がヘッドケース１３ａに対して所定の範囲で上下方向、即ち垂直方向に移動可能に支持されるとともに、図示しないばねにて上方に付勢される。これにより、各樹脂支持枠は、上方からの押圧力にて下方に移動可能に設けられている。又、各内刃３０は、図示しない樹脂支持枠に固定されて該樹脂支持枠と共に内刃ブロックを構成する。各樹脂支持枠がヘッド１３の幅方向Ｙに沿って往復動可能な図示しない駆動軸に連結されている。又、この駆動軸は、例えば、ヘッド１３の内部、又は、把持部１２の内部に設けられた駆動源（モータ）にて駆動される。
【００１４】
ここで、本実施の形態の外刃２０は、ヘッド１３の前後方向Ｘに沿って並設された五つの外刃を含む、所謂五枚刃である。五つの外刃２０は、一つのスリット刃２１及び四つのネット刃２２〜２５を含む。スリット刃２１は、ヘッド１３の前後方向Ｘの中央に配置され、自身の短手方向（前後方向Ｘ）に沿って延びる複数のスリット（図示略）を有する。ネット刃２２〜２５は、該スリット刃２１を中心としてヘッド１３の前後方向Ｘに２つずつ配置されている。ネット刃２２〜２５の各々は、網目状（図示略）に形成されている。前記スリット刃２１では、長毛を剃りやすいようにヘッド１３の前後方向Ｘに沿って延びるスリットの長さ及び幅が設定されている。又、前記ネット刃２２〜２５の各々は、短毛を剃りやすいように網目状に形成されている。また、ネット刃２２〜２５は、スリット刃２１を中心としてヘッド１３の前後方向Ｘに沿って対称に配置されている。換言すれば、ネット刃２２〜２５は、Ｙ軸、即ちスリット刃２１に関して線対称をなすように配置されている。
【００１５】
詳しくは、ネット刃２２〜２５は、通常のネット刃２２，２３及び仕上げ用のネット刃２４，２５を含む。通常のネット刃２２，２３は、ヘッド１３の前後方向Ｘの両端に配置されている。通常のネット刃２２，２３の各々は、網目を構成する多数の枠状の外刃要素を有し、それら外刃要素の厚さが略一定に設定されている。外刃要素は、一方向に略沿って並設される多数の第１外刃要素と、該第１外刃要素同士を連結すると共に第１外刃要素と直交する方向に略沿って並設される多数の第２外刃要素とを含む。
【００１６】
又、仕上げ用のネット刃２４，２５は、ヘッド１３の前後方向Ｘの両端に配置された通常のネット刃２２，２３とスリット刃２１との間にそれぞれ配設されている。仕上げ用のネット刃２４，２５の各々は、網目を構成する多数の枠状の外刃要素を有する。外刃要素は、一方向に略沿って並設される多数の第１外刃要素と、該第１外刃要素同士を連結すると共に第１外刃要素と直交する方向に略沿って並設される多数の第２外刃要素とを含む。仕上げ用のネット刃２４，２５の各々において、外刃要素の厚さが部分的に薄く形成され、短いくせ髭も剃れやすいように形成されている。例えば、第２外刃要素のみが第１外刃要素よりも薄く形成されている。
【００１７】
又、図２に示すように、ネット刃２２〜２５に対して上方からの押圧力が作用していない場合、ネット刃２２〜２５は、ネット刃２２〜２５は下方に移動していない初期位置にある。初期位置において、ネット刃２２〜２５の頂部は、前記スリット刃２１を中心としてヘッド１３の前後方向Ｘに沿って対称に設定されている。換言すれば、ネット刃２２〜２５の頂部は、Ｚ軸、即ちスリット刃２１に関して線対称をなすように設定されている。詳しくは、本実施の形態では、前記初期位置において、ヘッド１３の前後方向Ｘの両端に配置された通常のネット刃２２，２３の双方が、他の仕上げ用のネット刃２４，２５よりも同じ高さだけ低くなるように設定されている。又、本実施の形態では、前記初期位置において、仕上げ用のネット刃２４，２５とスリット刃２１とが同じ高さに設定されている。
【００１８】
次に、上記実施の形態の特徴的な作用効果を以下に記載する。
（１）五つの外刃２０（スリット刃２１及びネット刃２２〜２５）は、ヘッド１３の前後方向Ｘに沿って並設されるため、４つの外刃が並設される電気かみそりに比べて、更に効率良く、少ない往復動作で良好な仕上がりを得ることができる。又、電気かみそり１１をヘッド１３の前後方向Ｘの一端から肌上に当接させて移動、即ち摺動させていく場合、スリット刃２１は、肌に接触する面積が小さくなりやすいため、肌に強い押圧力で局部的に接触しダメージを与えやすい。スリット刃２１がヘッド１３の前後方向Ｘの中央に配置され、肌にダメージを与え難い複数のネット刃２２，２３がヘッド１３の前後方向の両端にそれぞれ配置されている。従って、スリット刃２１が単独で肌に強い押圧力で接触することが低減されるため、肌へのダメージを低減することができる。しかも、スリット刃２１を中心としてヘッド１３の前後方向Ｘに沿って配設される２つずつのネット刃２２〜２５は、スリット刃２１を中心としてヘッド１３の前後方向Ｘに沿って対称に配置されている。換言すれば、ネット刃２２〜２５は、Ｙ軸、即ちスリット刃２１に関して線対称をなすように配置されている。このため、例えば、ヘッド１３の前後方向Ｘの両端の内のどちら側（前方側又は後方側）から外刃２０を肌上に当接させて移動、即ち摺動させていっても、同様の仕上がりを得ることができる。よって、例えば、一定の良好な仕上がりを得るために、決められた一方向に向かって摺動させるといった必要がなく、使い勝手が良好となる。
【００１９】
（２）ネット刃２２〜２５の頂部は、図２に示すように、スリット刃２１を中心として前後方向に沿って対称に設定される。換言すれば、ネット刃２２〜２５の頂部は、Ｚ軸、即ちスリット刃２１に関して線対称をなすように設定されている。このため、ヘッド１３の前後方向Ｘの両端の内のどちら側（前方側又は後方側）から外刃２０を肌上に当接させて移動、即ち摺動させていっても、同様の仕上がりを得ることができる。
【００２０】
（３）ヘッド１３の前後方向Ｘの両端に配置された通常のネット刃２２，２３の双方が他の仕上げ用のネット刃２４，２５よりも同じ高さだけ低くなるように設定されている。そのため、ヘッド１３の幅方向Ｙから見て（図２参照）外刃２０全体が凸状に形成されているため、外刃２０が顎下等の凹部（くぼみ）にフィットし易くなり、該凹部において良好な仕上がりを得ることができる。
【００２１】
上記実施の形態は、以下のように変更してもよい。
・上記実施の形態では、ヘッド１３の前後方向Ｘの両端に配置された通常のネット刃２２，２３の双方が、他の仕上げ用のネット刃２４，２５よりも同じ高さだけ低くなるように設定される。これに限定されず、例えば、図３に示すように、ヘッド１３の前後方向Ｘの両端に配置されたネット刃２２，２３の双方が、他のネット刃２４，２５よりも同じ高さだけ高くなるように設定されてもよい。このような構成によれば、ヘッド１３の幅方向Ｙから見て（図３参照）外刃２０全体が凹状となるため、顎先等の凸部にフィットし易くなり、該凸部において良好な仕上がりを得ることができる。又、ヘッド１３の前後方向Ｘの両端に配置されたネット刃２２，２３にて鼻下の髭を剃る場合に、唇に外刃２０（仕上げ用のネット刃２４，２５及びスリット刃２１）が接触し難くなる。
【００２２】
又、例えば、図４に示すように、前記初期位置において、全ての外刃２０（スリット刃２１、通常のネット刃２２，２３及び仕上げ用のネット刃２４，２５）が同じ高さに設定されてもよい。
【００２３】
又、ネット刃２２〜２５の頂部は、スリット刃２１を中心としてヘッド１３の前後方向Ｘに沿って対称に設定されていなくてもよい。例えば、図５に示すように、ヘッド１３の前後方向Ｘの一端に配置されたネット刃２２の頂部が、他のネット刃２２〜２５よりも低くなるように設定されてもよい。この構成によれば、鼻下の髭を剃る場合に、ヘッド１３の前後方向Ｘの一端の低い位置にあるネット刃２２が唇に当たり難くなる。そのため、使用者は不快に感じることが低減される。また、ほほ等の皮膚の柔らかい部分を剃る場合には、ネット刃２２の段差（高さの差）の有無に関わらず全ての外刃２０（スリット刃２１、通常のネット刃２２，２３及び仕上げ用のネット刃２４，２５）を肌に密着させることができる。そのため、良好な仕上がりを得ることができる。
【００２４】
・上記実施の形態では、特に言及していないが、外刃２０（スリット刃２１、通常のネット刃２２，２３及び仕上げ用のネット刃２４，２５）の上端の形状は、ヘッド１３の前後方向Ｘから見て、直線状でもよいし、上方に凸状に湾曲したものであってもよい。
【００２５】
・上記実施の形態及び別例におけるヘッド１３の上端部に、上端部（外刃２０）の少なくとも一部を覆うキャップが着脱可能に設けられてもよい。例えば、図６に示すように、キャップ４１は、ヘッド１３の前後方向Ｘにおける前方側のネット刃２２，２４、及び後方側のネット刃２３，２５のいずれか一方のみを外部に露出する開口部４１ａを有する。また、キャップ４１は、該開口部４１ａが前方側のネット刃２２，２４及び後方側のネット刃２３，２５の何れにも対応して配置されるように着脱可能で、且つ該開口部４１ａが後方側に配置されるように着脱可能に形成されている。尚、この例では、ヘッドケース１３ａの前後方向Ｘの両端部に同形状の一対の係合凸部１３ｂがそれぞれ形成されている。キャップ４１には、それら係合凸部１３ｂと係合して自身（キャップ４１）をヘッド１３に対して保持するための同一形状の一対の係合凹部４１ｂが形成されている。これにより、ヘッド１３に対してキャップ４１が上記したように着脱可能とされている。又、この例におけるヘッド１３は、全ての外刃２０（スリット刃２１、通常のネット刃２２，２３及び仕上げ用のネット刃２４，２５）が同じ高さに設定されたもの（図４参照）である。又、図６では、開口部４１ａが後方側に配置されるようにキャップ４１が取り付けられた状態を図示し、ネット刃２３，２５のみが外部に露出した状態を図示している。又、この例（図６参照）では、露出させないスリット刃２１及びネット刃２２，２４が、キャップ４１による上方からの押圧力にて下方に移動さ、キャップ４１から露出するネット刃２３，２５が上方に突出している。
【００２６】
このような構成によれば、キャップ４１の開口部４１ａの位置をヘッド１３の前後方向のどちらとしてもキャップ４１をヘッド１３に着脱できるため、その使い勝手が良好となる。そして、開口部４１ａに位置しない外刃２０（図６ではスリット刃２１及びネット刃２２，２４）は外部に露出しないため、例えば、鼻下の髭を剃る場合に、唇に外刃２０が接触し難くなる。しかも、開口部４１ａの位置をヘッド１３の前後方向のどちらとしても同様にネット刃２２〜２５（図６では２３，２５）が露出するため、開口部４１ａの位置に関わらず同様に一定の仕上がりを得ることができる。
【００２７】
・上記実施の形態では、ネット刃２２〜２５は、通常のネット刃２２，２３と仕上げ用のネット刃２４，２５とを含む。これに限定されず、スリット刃２１を中心としてヘッド１３の前後方向Ｘに配設される複数ずつのネット刃がスリット刃２１を中心としてヘッド１３の前後方向Ｘに沿って対称に配置されれば、他の種類のネット刃が用いられてもよい。
【００２８】
・上記実施の形態及び別例では、五つの外刃２０が、ヘッド１３の前後方向Ｘに沿って並設されている。これに限定されず、六個以上の外刃２０が並設されてもよい。尚、外刃２０の数が偶数である場合、ヘッド１３の前後方向Ｘの中央に配置されるスリット刃２１は偶数個とする必要がある。又、外刃２０の数が七個以上である場合、勿論六個以上のネット刃が設けられてもよい。この場合、スリット刃２１を中心としてヘッド１３の前後方向Ｘに三個ずつ以上のネット刃が設けられる。
【００２９】
・上記実施の形態では、髭用の電気かみそり１１に適用したが、髭以外の体毛の切除を行う電気かみそりに適用してもよい。
【符号の説明】
【００３０】
１２  把持部
１３  ヘッド
２０  外刃
２１  外刃の一つであるスリット刃
２２，２３  外刃の一つである通常のネット刃
２４，２５  外刃の一つである仕上げ用のネット刃
３０  内刃
４１  キャップ
４１ａ  開口部  
Ｘ  前後方向
Ｙ  幅方向
Ｚ  上下方向、垂直方向
【図１】
2011037126.tif 000003
【図２】
2011037126.tif 000004
【図３】
2011037126.tif 000005
【図４】
2011037126.tif 000006
【図５】
2011037126.tif 000007
【図６】
2011037126.tif 000008
【国際調査報告】
2011037126.tif 000009
2011037126.tif 000010
2011037126.tif 000011
2011037126.tif 000012